(57)【要約】【課題】ガラスランプ管１の封止側端部２Ａと排気側端部２Ｂとで等しい負荷の電流導体層５Ａ，５Ｂを形成することができ、これに高周波電力を給電するための高周波点灯装置６の設計を簡素にして容易にすることができる誘電体バリア放電ランプを提供する。【解決手段】本発明は、ガラスランプ管１の両端部２Ａ，２Ｂそれぞれの側周面と端面とを覆うように袋状の電流導体層５Ａ，５Ｂが外部電極として形成された誘電体バリア放電ランプ１０において、両電流導体層の管軸方向の長さＬｓ，Ｌｅそれぞれからガラスランプ管の両端それぞれの封着部２Ａ，２Ｂの管軸方向の肉厚長Ａ，Ｂそれぞれを差し引いた電極有効長Ｌｓ−Ａ，Ｌｅ−Ｂそれぞれを等しくしたことを特徴とする。【選択図】図１
2008135347.tif 000002
【特許請求の範囲】
【請求項１】
ガラスランプ管の両端部それぞれの側周面と端面とを覆うように袋状の電流導体層が外部電極として形成された誘電体バリア放電ランプにおいて、
前記両電流導体層の管軸方向の長さＬｓ，Ｌｅそれぞれから前記ガラスランプ管の両端それぞれの封着部の管軸方向の肉厚長Ａ，Ｂそれぞれを差し引いた電極有効長Ｌｓ−Ａ，Ｌｅ−Ｂそれぞれを等しくしたことを特徴とする誘電体バリア放電ランプ。
【請求項２】
ガラスランプ管の両端部それぞれの側周面と端面とを覆うように袋状の電流導体層が外部電極として形成された誘電体バリア放電ランプにおいて、
前記両電流導体層の管軸方向の長さＬｓ，Ｌｅそれぞれから前記ガラスランプ管の両端それぞれの封着部の管軸方向の肉厚長Ａ，Ｂそれぞれを差し引いた電極有効長Ｌｓ−Ａ，Ｌｅ−Ｂそれぞれを等しくしたことを特徴とする誘電体バリア放電ランプの１本、若しくは複数本を光源として備えた照明装置。
【発明の詳細な説明】
【技術分野】
【０００１】
本発明は、誘電体バリア放電ランプ及びそれを光源として備える照明装置に関する。
【背景技術】
【０００２】
従来から、例えば、液晶表示装置用バックライト装置のような面照明装置の光源として、特開０１−３１２６０号公報（特許文献１）、特開２００４−１４６３５１号公報（特許文献２）に記載のように、図２、図３に示す構成の誘電体バリア放電ランプ１００が知られている。この従来の誘電体バリア放電ランプ１００は、誘電体であるガラスランプ管１の両端部２Ａ，２Ｂそれぞれを封着し、内部に水銀と希ガスを放電媒体３として封入し、ガラスランプ管１の内周面に蛍光体層４を形成し、ガラスランプ管１の両端部２Ａ，２Ｂそれぞれの側周面と端面とを覆うように袋状の電流導体層５Ａ，５Ｂを外部電極として形成したものであり、外部電極としての電流導体層５Ａ，５Ｂにインバータのような高周波数点灯装置６にて高周波電力を給電することで放電点灯させることができる。
【０００３】
このような従来の誘電体バリア放電ランプ１００では、その製造において、ガラス直細管の素材の一端部２Ａ側を封止し、また他端側から管内部を排気し、放電媒体３を充填した後に排気側端部２Ｂを必要な場合にはガラスビードを込めてから封着する。そして外部電極をガラスランプ管１の両端部に形成する。そしてこのガラスランプ管１の両端部の外周面と端面に半田ディッピングあるいは超音波ディッピングによってその全面を覆うように電流導体層５Ａ，５Ｂを形成する。そしてこのように電流導体層５Ａ，５Ｂを半田ディッピングより形成する場合、ガラスランプ管１の両端でディッピング深さを同じにして電流導体層５Ａ，５Ｂの管軸方向の長さＬｅ，Ｌｓが等しくなるようにしていた。
【０００４】
特に図３に詳しいように、このような従来の誘電体バリア放電ランプ１００では、上述した製造方法によっているために、ガラスランプ管１の封止側端部２Ａと排気側端部２Ｂとは同一形状、同一寸法ではなく、必然的に肉厚Ａ，Ｂが異なるものとなっている。
【０００５】
一般に電源である高周波点灯装置６は誘電体バリア放電ランプ１の負荷によって変動するために、ちらつきのない安定した点灯状態を維持するためには誘電体バリア放電ランプ１の負荷は両端の電極部共に等しいことが望ましい。そしてこの負荷は、ガラスランプ管１の両端部外面の電流導体層５Ａ，５Ｂの部分の静電容量によって決まるものであるが、上述したように、従来の誘電体バリア放電ランプ１００の場合、その製造上で管端からの管軸方向の長さＬｓ，Ｌｅが等しくなるようにそれぞれの電流導体層５Ａ，５Ｂを形成しているため、実質的な静電容量、したがって負荷が両端部で異なることが避けられなかった。この静電容量の差により、高周波点灯装置６から左右の電流導体層５Ａ，５Ｂに印加される電圧が異なることになる。この状態で実際に当該誘電体バリア放電ランプ１００を使用すると、ランプ管１内の放電媒体３に混入されている水銀が偏ることになる。
【０００６】
そのため、従来は、高周波点灯装置６の設計者が両端の電流導体層５Ａ，５Ｂを含む外部電極それぞれの印加電圧が等しくなるように封止側端部２Ａと排気側端部２Ｂとでトランス及び回路を別々に設計する必要があったが、このように１つの高周波数点灯装置６に対して左右で別々にトランス、回路を設計することは手間と労力を要し、効率が悪く、またコストも嵩む問題点があった。
【特許文献１】特開０１−３１２６０号公報
【特許文献２】特開２００４−１４６３５１号公報
【発明の開示】
【発明が解決しようとする課題】
【０００７】
本発明は、上述した従来技術の問題点に鑑みてなされたもので、ガラスランプ管の封止側端部と排気側端部とで等しい負荷の電流導体層を形成することができ、それ故にこれに高周波電力を給電するための高周波点灯装置の設計を簡素にして容易にすることができる誘電体バリア放電ランプ及びそれを電源として備えた照明装置を提供することを目的とする。
【課題を解決するための手段】
【０００８】
請求項１の発明は、ガラスランプ管の両端部それぞれの側周面と端面とを覆うように袋状の電流導体層が外部電極として形成された誘電体バリア放電ランプにおいて、前記両電流導体層の管軸方向の長さＬｓ，Ｌｅそれぞれから前記ガラスランプ管の両端それぞれの封着部の管軸方向の肉厚長Ａ，Ｂそれぞれを差し引いた電極有効長Ｌｓ−Ａ，Ｌｅ−Ｂそれぞれを等しくしたことを特徴とするものである。
【０００９】
請求項２の発明は、ガラスランプ管の両端部それぞれの側周面と端面とを覆うように袋状の電流導体層が外部電極として形成された誘電体バリア放電ランプにあって、前記両電流導体層の管軸方向の長さＬｓ，Ｌｅそれぞれから前記ガラスランプ管の両端それぞれの封着部の管軸方向の肉厚長Ａ，Ｂそれぞれを差し引いた電極有効長Ｌｓ−Ａ，Ｌｅ−Ｂそれぞれを等しくした誘電体バリア放電ランプを１本若しくは複数本、光源として備えた照明装置を特徴とする。
【発明の効果】
【００１０】
本発明の誘電体バリア放電ランプ及び照明装置によれば、誘電体バリア放電ランプにとって静電容量として印加電圧に影響を与える電極有効長をガラスランプ管の両端部において一致させたので、ガラスランプ管の封止側端部と排気側端部とで等しい負荷の電流導体層を形成することができ、これに高周波電力を給電するための高周波点灯装置の設計を簡素にして容易にすることができる。
【発明を実施するための最良の形態】
【００１１】
以下、本発明の実施の形態を図に基づいて詳説する。図１は、本発明の１つの実施の形態としての誘電体バリア放電ランプ１０、及び、この誘電体バリア放電ランプ１０とこれを点灯させるインバータで成る高周波点灯装置６とで構成される照明装置を示している。本実施の形態の照明装置の光源となる誘電体バリア放電ランプ１０は、従来例と同様に、誘電体であるガラスランプ管１の両端部２Ａ，２Ｂそれぞれを封着し、内部に水銀と希ガスを放電媒体３として封入し、ガラスランプ管１の内周面に蛍光体層４を形成し、ガラスランプ管１の両端部２Ａ，２Ｂそれぞれの側周面と端面とを覆うように袋状の電流導体層５０Ａ，５０Ｂを外部電極として形成したものであり、この誘電体バリア放電ランプ１０の電流導体層５０Ａ，５０Ｂにインバータで成る高周波数点灯装置６にて高周波電力を給電することで放電点灯させるようにしている。
【００１２】
図１に詳しく示したように、本発明の特徴である誘電体バリア放電ランプ１０の両端部の電流導体層５０Ａ，５０Ｂそれぞれの管軸方向の長さＬｓ，Ｌｅそれぞれからガラスランプ管１の両端それぞれの封着部２Ａ，２Ｂの管軸方向の肉厚長Ａ，Ｂそれぞれを差し引いた電極有効長Ｌｓ−Ａ，Ｌｅ−Ｂを等しくしている。すなわち、Ｌｓ−Ａ＝Ｌｅ−Ｂとしてある。通常、図示したように封止側端部２Ａの肉厚Ａよりも排気側端部２Ｂの肉厚Ｂの方が長くなるので、これを加味し、電流導体層５Ａ，５Ｂを半田ディッピング若しくは超音波半田ディッピングにして形成する場合にディッピング深さＬｓ，Ｌｅを肉厚Ａ，Ｂに応じてＬｓよりもＬｅを深くすることで電極有効長Ｌｓ−Ａ，Ｌｅ−Ｂが等しくなるように調整する。もちろん、両電流導体層５０Ａ，５０Ｂの層厚は等しくなるように調整している。
【００１３】
これにより、本実施の形態の照明装置では、誘電体バリア放電ランプ１０にとって静電容量として印加電圧に影響を与える電極有効長Ｌｓ−Ａ，Ｌｅ−Ｂをガラスランプ管１０の両端部２Ａ，２Ｂにおいて一致させたので、ガラスランプ管１０の封止側端部２Ａと排気側端部２Ｂとで等しい負荷の電流導体層を形成することができ、これに高周波電力を給電するための高周波点灯装置６の設計を簡素にして容易にすることができる。
【００１４】
尚、上記の実施の形態では、１本の誘電体バリア放電ランプ１００とこれを点灯させる高周波点灯装置６で構成される照明装置としたが、液晶バックライト装置として複数本の誘電体バリア放電ランプ１００を並設し、各誘電体バリア放電ランプ１００の両端の外部電極に共通に高周波点灯装置６から高周波電圧を印加する構成にすることもできる。また、本発明は上記の照明装置に光源として使用する誘電体バリア放電ランプ１００だけでも構成できる。
【図面の簡単な説明】
【００１５】
【図１】本発明の１つの実施の形態の照明装置の一部断面図を含むブロック図。
【図２】従来例の照明装置のブロック図。
【図３】従来例の照明装置の一部断面図を含むブロック図。
【符号の説明】
【００１６】
１  ガラスランプ管
２Ａ  封止側端部
２Ｂ  排気側端部
３  放電媒体
４  蛍光体膜
６  高周波点灯装置
１０  誘電体バリア放電ランプ
５０Ａ  電流導体層
５０Ｂ  電流導体層
【図１】
2008135347.tif 000003
【図２】
2008135347.tif 000004
【図３】
2008135347.tif 000005